(57)【要約】【課題】少ない操作回数で所望のメニュー項目の設定を行なう。【解決手段】複数の階層を有するメニュー構造を用いてメニュー項目の設定を行う電子機器２であって、前記メニュー構造の予め設定された第２階層目以下の所定下位階層のメニュー項目を直接呼び出す操作部材２６と、前記操作部材が操作された場合に、前記所定下位階層のメニュー項目が選択可能な画面表示を行う表示制御部３０とを備える。【選択図】図２
2014011521.tif 000002
【特許請求の範囲】
【請求項１】
複数の階層を有するメニュー構造を用いてメニュー項目の設定を行う電子機器であって、
前記メニュー構造の予め設定された第２階層目以下の所定下位階層のメニュー項目を直接呼び出す操作部材と、
前記操作部材が操作された場合に、前記所定下位階層のメニュー項目が選択可能な画面表示を行う表示制御部と
を備えることを特徴とする電子機器。
【請求項２】
前記操作部材に対して、前記操作部材が操作された場合に呼び出されるべき前記所定下位階層を設定する設定部を備えることを特徴とする請求項１記載の電子機器。
【請求項３】
前回のメニュー項目の設定において、最後に設定された前回メニュー項目を、前記前回メニュー項目を設定する際に順次選択した階層のメニュー項目と共に記憶する記憶部を備え、
前記表示制御部は、前記操作部材が操作された場合に、前記記憶部に記憶されている前記メニュー項目の中で前記操作部材に対して設定されている前記所定下位階層の前記メニュー項目が選択可能な状態のメニュー画面の表示を行うことを特徴とする請求項１または２記載の電子機器。
【請求項４】
前記メニュー画面は、前記メニュー構造の複数の階層の中で前記メニュー画面に表示中の階層の情報を含むことを特徴とする請求項１〜３の何れか一項に記載の電子機器。
【請求項５】
前記メニュー画面は、前記メニュー構造の複数の階層の中で前記メニュー画面に表示中の階層の上位の階層の情報を含むことを特徴とする請求項１〜４の何れか一項に記載の電子機器。
【請求項６】
前記操作部材は、それぞれ異なる前記所定階層のメニュー項目を呼出す複数の操作部材を含むことを特徴とする請求項１〜５の何れか一項に記載の電子機器。
【請求項７】
前記表示制御部は、前記メニュー画面をライブビュー撮影中の撮影画像データに基づくライブビュー画像または記録媒体に記録されている画像データに基づく再生画像に重畳して表示させることを特徴とする請求項１〜６の何れか一項に記載の電子機器。
【請求項８】
前記ライブビュー画像の前記撮影画像データ及び前記再生画像の前記画像データに画像処理を行なう画像処理部を備え、
前記画像処理部は、選択または設定されたメニュー項目の内容を前記ライブビュー画像の前記撮影画像データまたは前記再生画像の前記画像データに反映させる画像処理を実施することを特徴とする請求項１〜７の何れか一項に記載の電子機器。
【発明の詳細な説明】
【技術分野】
【０００１】
本発明は、複数の階層を有するメニュー構造を用いてメニュー項目の設定を行う電子機器に関するものである。
【背景技術】
【０００２】
従来、デジタルカメラ等の電子機器においては、撮像条件や再生条件等の設定を行なう場合に選択可能なメニュー項目を階層表示することによって簡単な操作で所望のメニュー項目の設定を可能としている（例えば、特許文献１参照）。
【先行技術文献】
【特許文献】
【０００３】
【特許文献１】特開２００９−７６９５５号公報
【発明の概要】
【発明が解決しようとする課題】
【０００４】
しかしながら、上述の電子機器においては、メニュー項目の設定を行なう毎に第１階層から下位階層へと順番にメニュー項目を選択して所望のメニュー項目の設定を行なわなくてはならないため、メニュー項目の設定に必要な操作回数が増大し、操作性の悪化を招いていた。
【０００５】
本発明の目的は、少ない操作回数で所望のメニュー項目の設定を行なうことができる電子機器を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の電子機器は、複数の階層を有するメニュー構造を用いてメニュー項目の設定を行う電子機器２であって、前記メニュー構造の予め設定された第２階層目以下の所定下位階層のメニュー項目を直接呼び出す操作部材１４と、前記操作部材が操作された場合に、前記所定下位階層のメニュー項目が選択可能な画面表示を行う表示制御部３０とを備えることを特徴とする。
【発明の効果】
【０００８】
本発明の電子機器によれば、少ない操作回数で所望のメニュー項目の設定を行なうことができる。
【図面の簡単な説明】
【０００９】
【図１】実施の形態に係るデジタルカメラの外観を示す図である。
【図２】実施の形態に係るデジタルカメラのシステム構成を示すブロック図である。
【図３】実施の形態に係るデジタルカメラのメニュー項目を示す図である。
【図４】実施の形態に係るデジタルカメラのメニュー画面を示す図である。
【図５】実施の形態に係るデジタルカメラのメニュー画面を示す図である。
【発明を実施するための形態】
【００１０】
以下、図面を参照して、本発明の実施の形態に係るデジタルカメラについて説明する。図１は、実施の形態に係るデジタルカメラの外観を示す図である。図１（ａ）に示すようにデジタルカメラ２の背面には表示部４、スピーカ６、再生ボタン８、動画ボタン１０、ＨＯＭＥボタン１２及びロータリースイッチ１４が設けられている。また図１（ｂ）に示すようにデジタルカメラ２の上面には電源ボタン１６、ズームレバー１８及びスピーカ２０が設けられている。
【００１１】
表示部４はＬＣＤ等により構成され、メニュー項目を配置したメニュー画面や、ライブビュー画像、再生画像等の表示を行なう。スピーカ６及びスピーカ２０は動画像撮影時に取得した音声データに基づく音声等の出力を行なう。再生ボタン８は、撮像された静止画像や動画像の再生を指示するボタンである。動画ボタン１０は、動画撮影の開始及び終了を指示するボタンである。ＨＯＭＥボタン１２は、表示部４にメニュー画面の第１階層のメニュー項目を選択可能な状態で表示させるボタンである。
【００１２】
ロータリースイッチ１４は、回転部１４ａと、中央部のＯＫボタン１４ｂとから構成されている。使用者は、回転部１４ａを時計回りまたは反時計回りに回転させるか、あるいは回転部１４ａの上、下、左、右のいずれかの部分を押下することによりメニュー画面に表示されているメニュー項目の選択等を行ない、ＯＫボタン１４ｂを押下することによって、選択したメニュー項目等を確定する。
【００１３】
なお、ロータリースイッチ１４の回転部１４ａの上は、Ｄｉｒｅｃｔ（ダイレクト）ボタンの機能が割当てられている。Ｄｉｒｅｃｔボタンは、予め設定されメモリ２８（図２参照）に記憶された指定階層情報に基づいて表示部４に下位階層のメニュー項目を示すメニュー画面を表示させるボタンである。
【００１４】
図２は実施の形態に係るデジタルカメラ２のシステム構成を示すブロック図である。デジタルカメラ２は、デジタルカメラ２の全体を統括的に制御するＣＰＵ２２を有している。ＣＰＵ２２には、スピーカ６、２０、撮像素子２４、操作部２６、メモリ２８、表示制御部３０が接続され、更にメモリーカード３２が着脱可能に装着されている。
【００１５】
撮像素子２４は、デジタルカメラ２の撮像レンズを介して入射した被写体光を撮像し、撮像信号をＣＰＵ２２に出力する。操作部２６は、再生ボタン８、動画ボタン１０、ＨＯＭＥボタン１２、ロータリースイッチ１４、電源ボタン１６、ズームレバー１８を含んでいる。
【００１６】
メモリ２８には、メニュー画面に階層表示されるメニュー項目及びメニュー画面における第２階層以下の所定下位階層のメニュー項目を選択可能な状態で表示させるための指定階層情報が記憶されている。またメモリ２８には、メニュー画面を介して最後に設定された前回メニュー項目が記憶されると共に、前回メニュー項目が設定される際に順次選択された各階層のメニュー項目の選択履歴情報が記憶されている。表示制御部３０は、ＣＰＵ２２からの制御信号に従って表示部４の表示制御を行なう。メモリーカード３２には、撮像された画像の画像データ等が記録されている。
【００１７】
図３は階層表示されるメニュー項目を示す図である。メニュー項目の第１階層は、静止画像撮影に関する設定を行なうための撮影モード、動画像撮影に関する設定を行なうための動画メニュー、画像再生に関する設定を行なうための再生メニュー、デジタルカメラ２本体に関する設定を行なうためのセットアップのメニュー項目によって構成されている。
【００１８】
撮影モードにおける、第２階層は、Ｐ（プログラムオート）、Ｓ（シャッター速度優先オート）、Ａ（絞り優先オート）、Ｍ（マニュアル）、ＳＣＮ（シーンモード）、ＡＵＴＯ（オートモード）の各メニュー項目によって構成される。
【００１９】
第２階層がＰ（プログラムオート）の場合の第３階層はＩＳＯ感度、測光エリア、ＡＦ（オートフォーカス）エリアのメニュー項目により構成される。第３階層がＩＳＯ感度の場合の第４階層は、ＩＳＯ感度の設定値（１００、２００、４００、８００等）により構成され、第３階層が測光エリアの場合の第４階層は測光エリアの範囲（マルチ、中央重点、スポット）により構成される。また第２階層がＳＣＮの場合、第３階層は画像の色調を示すモノクロ（モノクロフィルター）、ソフト（ソフトフィルター）、セピア（セピアフィルター）の各メニュー項目によって構成される。
【００２０】
第１階層が動画メニューの場合、第２階層は、記録サイズ、フェード等のメニュー項目により構成される。第２階層が記録サイズの場合の第３階層は記録サイズの値（１０８０／６０ｉ、１０８０／３０ｐ、７２０／６０ｐ、７２０／３０ｐ）により構成され、第２階層がフェードの場合の第３階層はフェードイン／アウトを用いる画像処理の有無を決定する項目（有、無）により構成される。
【００２１】
第１階層が再生メニューの場合、第２階層は、スライドショー等のメニュー項目により構成される。第２階層がスライドショーの場合、第３階層は再生する対象の画像を設定するメニュー項目（ＳＣＮ、顔認識、ＡＬＬ、動画）によって構成される。第４階層はスライドショーを開始するＳｔａｒｔ、ＢＧＭを設定するＢＧＭ、画像を切り替える時間を設定するＴｉｍｅの各メニュー項目によって構成される。
【００２２】
第１階層がセットアップの場合、第２階層は、日付、地域、指定階層設定の各メニュー項目により構成される。第２階層が日付の場合の第３階層は日付の表示順を設定するメニュー項目（年月日、月日年）により構成され、さらに第３階層が年月日の場合の第４階層は日付を変更するための年月日設定のメニュー項目により構成される。また第２階層が地域の場合の第３階層は、日本（東京）やアメリカ（ニューヨーク）等の地域を指定する入力項目により構成される。第２階層が指定階層設定の場合の第３階層は指定階層情報を設定するメニュー項目（第２階層、第３階層等）によって構成される。
【００２３】
次に撮影モードに関するメニュー項目の表示処理について説明する。図４は実施の形態に係るデジタルカメラ２のメニュー画面を示す図である。ＣＰＵ２２は、ライブビュー撮影を行なっている間、図４（ａ）に示すように表示部４に撮像素子２４により取得した撮影画像データに基づくライブビュー画像を表示させる。
【００２４】
ＣＰＵ２２は、ライブビュー撮影中にＨＯＭＥボタン１２が押下された場合、表示制御部３０を制御して表示部４にメニュー画面を表示させる。メニュー画面には、図４（ｂ）に示すように撮影モード、動画メニュー、再生メニュー、セットアップの第１階層の各メニュー項目が選択可能に表示される。
【００２５】
ここで、ロータリースイッチ１４の回転部１４ａの操作によって第１階層のメニュー項目を選択するカーソルを撮影モードに位置させ、ＯＫボタン１４ｂが押下されると、ＣＰＵ２２は、選択履歴情報として第１階層で撮影モードが選択されたことをメモリ２８に記憶させる。ＣＰＵ２２は、表示制御部３０を制御して表示部４に撮影モードの下位階層である第２階層のメニュー項目が選択可能な状態のメニュー画面を表示させる。このメニュー画面において先ずシーンモードが選択可能な状態で表示されるように、予め初期設定がなされているものとする。なお、第２階層以下のメニュー項目を表示するメニュー画面は、図４（ｃ）に示すようにライブビュー画像に重畳表示される。ここでメニュー画面は、ライブビュー画像が視認可能な程度の透過性を有している。
【００２６】
メニュー画面の右側には上位階層のメニュー項目を示す上位階層表示欄４０と、下位階層のメニュー項目を示す下位階層表示欄４２と、メニュー項目を選択するためのカーソル４４とが表示される。この場合、上位階層表示欄４０には、第２階層のメニュー項目が表示され、下位階層表示欄４２には、第３階層のメニュー項目が表示されている。カーソル４４は、上位階層表示欄４０内のメニュー項目であるＳＣＮに位置している。メニュー画面の左側には、項目内容表示欄４６が表示され、カーソル４４が位置しているメニュー項目であるＳＣＮの内容を示す“シーンモード”の文字が表示されている。
【００２７】
下位階層表示欄４２に表示されるメニュー項目は、上位階層表示欄４０においてカーソル４４が位置しているメニュー項目の下位階層のメニュー項目である。従って上位階層表示欄４０のＳＣＮにカーソル４４が位置している場合、下位階層表示欄４２にはモノクロ、ソフト、セピアの各メニュー項目が表示される。
【００２８】
ロータリースイッチ１４が回転されたとき、あるいは回転部１４ａの上下が押下されたとき、表示制御部３０は、カーソル４４が位置するメニュー項目が変更されるように、上位階層表示欄４０の各メニュー項目の表示位置を移動させる。カーソル４４がＳＣＮに位置した状態で回転部１４ａの右が押下された場合には、ＣＰＵ２２は、選択履歴情報として第２階層でシーンモードが選択されたことをメモリ２８に記憶させる。そしてＣＰＵ２２は、表示制御部３０を制御して図４（ｄ）に示すように、カーソル４４を下位階層表示欄４２内のメニュー項目である“ソフト”に位置させたメニュー画面を表示部４に表示させる。この場合、項目内容表示欄４６にはカーソル４４が位置しているメニュー項目である“ソフト”の内容を示す“ソフトフィルター”の文字が表示される。またＣＰＵ２２は、メニュー画面を重畳させるライブビュー画像の撮影画像データ対し、ソフトフィルター処理を施す。
【００２９】
なおカーソル４４を“モノクロ”に位置させた場合、ＣＰＵ２２は、表示制御部３０を制御して項目内容表示欄４６に“モノクロフィルター”の文字を表示させる。またＣＰＵ２２は、メニュー画面を重畳させるライブビュー画像の撮影画像データ対し、モノクロフィルター処理を施す。これによって使用者は、ソフトやモノクロのメニュー項目を設定したときに、画像がどのように変化するのかをライブビュー画像によって確認することができる。
【００３０】
ＣＰＵ２２は、カーソル４４が“ソフト”に位置した状態で回転部１４ａの右が押下された場合、選択履歴情報として第３階層でソフトフィルターが選択されたことをメモリ２８に記憶させ、撮影モードとしてソフトフィルターモードの設定を行ない、表示部４におけるメニュー画面の表示を終了させる。
【００３１】
なお、メニュー画面の表示中に回転部１４ａの左が押下された場合、表示制御部３０は、１つ上位の階層のメニュー項目が選択可能な状態のメニュー画面を表示部４に表示させる。例えば図４（ｄ）に示すように第３階層のメニュー項目が選択可能な状態のメニュー画面の表示中に回転部１４ａの左が押下された場合、表示制御部３０は図４（ｃ）に示すように第２階層のメニュー項目が選択可能な状態のメニュー画面を表示させる。また図４（ｃ）に示すメニュー画面の表示中に回転部１４ａの左が押下された場合、表示制御部３０は図４（ｂ）に示すように第１階層のメニュー項目が選択可能な状態のメニュー画面を表示させる。
【００３２】
またメニュー画面の表示中にＨＯＭＥボタン１２が押下された場合、表示制御部３０は、第１階層のメニュー項目を選択可能に示すメニュー画面を表示部４に表示させる。即ち図４（ｃ）に示すメニュー画面の表示中及び図４（ｄ）に示すメニュー画面の表示中にＨＯＭＥボタン１２が押下された場合、表示制御部３０は図４（ｂ）に示すように第１階層のメニュー項目が選択可能な状態のメニュー画面を表示させる。
【００３３】
次にＤｉｒｅｃｔボタンを押下した場合に表示されるメニュー画面について説明する。ＣＰＵ２２は、ライブビュー画像の表示中に回転部１４ａの上、即ちＤｉｒｅｃｔボタンが押下された場合、メモリ２８から指定階層情報と選択履歴情報を読み出す。ここで指定階層情報としては第３階層が予め設定されているものとする。なお指定階層情報は、使用者が任意に階層を指定することにより設定される。
【００３４】
ＣＰＵ２２は、選択履歴情報に基づいて前回のメニュー項目の設定時に第１階層の撮影モード、第２階層のシーンモード及び第３階層のソフトフィルターが選択されたことを認識する。ＣＰＵ２２は、指定階層情報として設定されている第３階層及び選択履歴情報に基づいて第２階層のメニュー項目及び第３階層のメニュー項目を呼び出し、表示制御部３０を制御して図４（ｄ）に示すようにカーソル４４を“ソフト”に位置させ、第３階層のメニュー項目が選択可能な状態のメニュー画面を表示部４に表示させる。
【００３５】
ＣＰＵ２２は、回転部１４ａの操作に従って表示制御部３０を制御し、カーソル４４が位置するメニュー項目を移動させる。カーソル４４が“モノクロ”に位置した状態で回転部１４ａの右が押下された場合には、ＣＰＵ２２は選択履歴情報として第１階層の撮影モード、第２階層のシーンモード及び第３階層のモノクロフィルターをメモリ２８に記憶させ、撮影モードとしてモノクロフィルターモードの設定を行なう。ＣＰＵ２２は、表示部４によるメニュー画面の表示を終了させ、ライブビュー画像に対してモノクロフィルター処理を行なう。
【００３６】
このように、複数の階層を有するメニュー構造を用いてメニュー項目の設定を行なう場合に、Ｄｉｒｅｃｔボタンの押下によって第１階層及び第２階層のメニュー項目を選択しなくても、直接第３階層のメニュー項目が選択可能な状態のメニュー画面を表示させることができる。これにより少ない操作回数で所望のメニュー項目の設定を行なうことができる。
【００３７】
また、ソフトやモノクロ等の画像の色合いや明るさ等に関するメニュー項目にカーソル４４を位置させたとき、そのメニュー項目の内容をライブビュー画像の撮影画像データに反映させる画像処理を実施するので、メニュー項目の設定前にライブビュー画像を介してどのような画像を撮影することができるのかを確認することができる。
【００３８】
次に再生メニューに関するメニュー項目の表示処理について説明する。図５は実施の形態に係るデジタルカメラ２のメニュー画面を示す図である。表示部４には図５（ａ）に示すようにメモリーカード３２に記録された画像データに基づく再生画像が表示されている。ＣＰＵ２２は、ＨＯＭＥボタン１２が押下された場合、表示制御部３０を制御して表示部４に第１階層のメニュー画面を表示させる。
【００３９】
メニュー画面には、図５（ｂ）に示すように第１階層のメニュー項目が選択可能に表示されている。ロータリースイッチ１４の回転部１４ａの操作によってカーソルを再生メニューに位置させ、ＯＫボタン１４ｂが押下されると、ＣＰＵ２２は、選択履歴情報として第１階層で再生メニューが選択されたことをメモリ２８に記憶させる。
【００４０】
ＣＰＵ２２は、表示制御部３０を制御して表示部４に再生メニューの下位階層である第２階層のメニュー項目が選択可能な状態のメニュー画面を表示させる。第２階層以下のメニュー項目を表示するメニュー画面は、図５（ｃ）に示すように再生画像に重畳表示される。ここでメニュー画面は、再生画像が視認可能な程度の透過性を有している。
【００４１】
メニュー画面の右側には上位階層表示欄５０と、下位階層表示欄５２と、カーソル５４とが表示されている。上位階層表示欄５０には第２階層のメニュー項目が表示されている。下位階層表示欄５２には第３階層のメニュー項目が表示されている。カーソル５４は、上位階層表示欄５０内のメニュー項目である“スライドショー”に位置している。メニュー画面の左側には、項目内容表示欄５６が表示され、カーソル５４が位置しているメニュー項目の内容を示す“スライドショー”の文字が表示されている。
【００４２】
下位階層表示欄５２に表示されるメニュー項目は、上位階層表示欄５０においてカーソル５４が位置しているメニュー項目の下位階層のメニュー項目である。従って上位階層表示欄５０のスライドショーにカーソル５４が位置している場合、下位階層表示欄５２にはＳＣＮ、ＡＬＬ、顔認識、動画の各メニュー項目が表示される。
【００４３】
メニュー画面の左上部には、第２階層で選択されたメニュー項目を示すアイコンや、再生メニューの下位階層の数に応じた複数の丸形のマークが表示されている。丸形のマークには黒丸のマークが含まれ、メニュー画面に表示されたメニュー項目が何れの階層であるかを、黒丸の位置により示している。従って、図５（ｃ）に示すようにメニュー画面の左上部に４個の丸形のマークが表示され、左から２、３番目のマークが黒丸である場合には、再生メニューの下位階層が第４階層まで存在し、上位階層表示欄５０に第２階層のメニュー項目、下位階層表示欄５２に第３階層のメニュー項目が表示されていることを示している。
【００４４】
カーソル５４がスライドショーに位置した状態で回転部１４ａの右が押下されたとき、ＣＰＵ２２は、選択履歴情報として第２階層でスライドショーが選択されたことをメモリ２８に記憶させる。
【００４５】
ＣＰＵ２２は、表示制御部３０を制御し第３階層のメニュー項目が選択可能な状態のメニュー画面を表示部４に表示させる。これにより表示部４には、図５（ｄ）に示すように上位階層表示欄５０にスライドショーに対応する第３階層の各メニュー項目（ＳＣＮ、顔認識、ＡＬＬ、動画）が表示され、下位階層表示欄５２に第４階層の各メニュー項目（Ｓｔａｒｔ、ＢＧＭ、Ｔｉｍｅ）が表示され、カーソル５４が上位階層表示欄５０内のメニュー項目である“ＡＬＬ”に位置したメニュー画面が表示される。
【００４６】
ＣＰＵ２２は、カーソル５４がＡＬＬに位置した状態で回転部１４ａの右が押下された場合、選択履歴情報として第３階層でＡＬＬが選択されたことをメモリ２８に記憶させる。
【００４７】
ＣＰＵ２２は、表示制御部３０を制御し第４階層のメニュー項目が選択可能な状態のメニュー画面を表示部４に表示させる。ここで再生メニューに対応する下位階層が第４階層までであるため、表示制御部３０は、メニュー画面を図５（ｄ）に示す状態から、図５（ｅ）に示すようにカーソル５４を下位階層表示欄５２内のメニュー項目である“Ｓｔａｒｔ”に位置させた状態へと変更させて表示させる。
【００４８】
ＣＰＵ２２は、カーソル５４が“Ｓｔａｒｔ”に位置した状態で回転部１４ａの右が押下された場合、選択履歴情報として第４階層でＳｔａｒｔが選択されたことをメモリ２８に記憶させる。ＣＰＵ２２は、表示部４におけるメニュー画面の表示を終了させ、メモリーカード３２に記憶されている全ての画像を再生するスライドショーを開始する。
【００４９】
なお、メニュー画面の表示中に回転部１４ａの左が押下された場合、表示制御部３０は、１つ上位の階層のメニュー項目を選択可能に表示するメニュー画面を表示部４に表示させる。例えば、図５（ｅ）に示すように第４階層のメニュー項目を選択可能な状態のメニュー画面の表示中に回転部１４ａの左が押下された場合、表示制御部３０は図５（ｄ）に示すように第３階層のメニュー項目が選択可能な状態のメニュー画面を表示させる。また図５（ｄ）に示すメニュー画面の表示中に回転部１４ａの左が押下された場合、表示制御部３０は図５（ｃ）に示すように第２階層のメニュー項目が選択可能な状態のメニュー画面を表示させる。また図５（ｃ）に示すメニュー画面の表示中に回転部１４ａの左が押下された場合、表示制御部３０は図５（ｂ）に示すように第１階層のメニュー項目が選択可能な状態のメニュー画面を表示させる。
【００５０】
またメニュー画面の表示中にＨＯＭＥボタン１２が押下された場合、表示制御部３０は、第１階層のメニュー項目を選択可能に表示するメニュー画面を表示部４に表示させる。即ち図５（ｃ）、図５（ｄ）、図５（ｅ）に示すメニュー画面の表示中にＨＯＭＥボタン１２が押下された場合、表示制御部３０は、図５（ｂ）に示すように第１階層のメニュー項目が選択可能な状態のメニュー画面を表示させる。
【００５１】
次にＤｉｒｅｃｔボタンを押下した場合に表示されるメニュー画面について説明する。ＣＰＵ２２は、再生画像の表示中にＤｉｒｅｃｔボタンが押下された場合、メモリ２８から指定階層情報と選択履歴情報を読み出す。ここで指定階層情報としては第４階層が予め設定されているものとする。
【００５２】
ＣＰＵ２２は、選択履歴情報に基づいて前回のメニュー項目の設定時に第１階層の再生メニュー、第２階層のスライドショー、第３階層のＡＬＬ、第４階層のＳｔａｒｔが選択されたことを認識する。ＣＰＵ２２は、指定階層情報として設定されている第４階層及び選択履歴情報に基づいて第３階層のメニュー項目及び第４階層のメニュー項目を呼び出し、表示制御部３０を制御して図５（ｅ）に示すようにカーソル５４を“Ｓｔａｒｔ”に位置させ、第４階層のメニュー項目が選択可能な状態のメニュー画面を表示部４に表示させる。
【００５３】
ＣＰＵ２２は、回転部１４ａの操作に従って表示制御部３０を制御し、カーソル４４が位置するメニュー項目を移動させる。カーソル４４が“Ｔｉｍｅ”に位置した状態で回転部１４ａの右が押下された場合には、ＣＰＵ２２は選択履歴情報として第１階層の再生メニュー、第２階層のスライドショー、第３階層のＡＬＬ及び第４階層のＴｉｍｅをメモリ２８に記憶させる。
【００５４】
ＣＰＵ２２は表示制御部３０を制御し、表示部４にスライドショーにおいて画像を切り替える時間を設定するための不図示の入力欄をメニュー画面内に表示させる。ＣＰＵ２２は、ロータリースイッチ１４の操作によって入力欄に時間が入力されたとき、入力された時間に基づいて画像を切り替える時間の設定を行ない、表示部４におけるメニュー画面の表示を終了させる。
【００５５】
この実施の形態に係る電子機器によれば、使用者は、Ｄｉｒｅｃｔボタンの押下によって、第１階層〜第３階層のメニュー項目を選択せずに、直接第４階層のメニュー項目が選択可能な状態のメニュー画面を表示させることができ、少ない操作回数で所望もメニュー項目の設定を行なうことができる。
【００５６】
また、再生メニューに対応する下位階層のメニュー項目を表示した際に、丸形のマークを表示するので、使用者は再生メニューの下位階層がどこまであるかを容易に確認でき、さらに何れの階層が表示されているかを確認することができる。
【００５７】
なお、メモリーカード３２に記録された画像データに基づく再生画像の表示中にメニュー画面を表示した場合において、メニュー画面において画像の色合いや明るさ等に関するメニュー項目にカーソル４４を位置させたときには、再生画像の画像データに対してメニュー項目の内容を反映させる画像処理を実施するようにしてもよい。これによってメニュー項目を設定する前に各メニュー項目によって再生画像がどのように変化するかを確認することができる。
【００５８】
また、上述の実施の形態においては、画像の色合いや明るさ等に関するメニュー項目にカーソル４４を位置させたときに、メニュー項目の内容をライブビュー画像に反映させる画像処理を実施するものとしたが、これに限らずカーソル４４をメニュー項目に位置させた場合には画像処理を実施せず、カーソル４４をメニュー項目に位置させた状態で回転部１４ａの右が押下されメニュー項目の設定が行なわれた場合にのみメニュー項目の内容をライブビュー画像に反映させる画像処理を実施するようにしてもよい。
【００５９】
また、上述の実施の形態においては、回転部１４ａの上がＤｉｒｅｃｔボタンに割当てられているが、これに限らず回転部１４ａの下にＤｉｒｅｃｔボタンを割当ててもよい。また回転部１４ａの上下にそれぞれ異なるＤｉｒｅｃｔボタンを割り当ててもよい。２つのＤｉｒｅｃｔボタンを割り当てた場合には、例えば回転部１４ａの上のＤｉｒｅｃｔボタンに対応する指定階層情報を第３階層とし、回転部１４ｂの下のＤｉｒｅｃｔボタンに対応する指定階層情報を第４階層とする等、２種類の指定階層情報をメモリ２８に記憶させることができる。
【００６０】
また、上述の実施の形態においては、再生メニューが選択されたときに、第２階層以下のメニュー画面に下位階層の数と表示中の階層を示すマークを表示しているが、これに限らず、第１階層の他のメニュー項目（撮影モード、動画メニュー、セットアップ）が選択された場合における第２階層以下のメニュー画面にも、同様のマークを表示させて下位階層の数と表示中の階層を示すようにしてもよい。
【００６１】
また、上述の実施の形態において、指定階層情報に基づく階層、即ちＤｉｒｅｃｔボタンを押下したときに何れの階層のメニュー項目が表示されるのかをアイコンや文字等によってライブビュー画像や再生画像内に表示させるようにしてもよい。例えば指定階層情報が第４階層の場合には“Ｄ４”等のように表示すれば、使用者はライブビュー画像や再生画像から指定階層情報を確認することができる。
【００６２】
また、上述した実施の形態において、選択履歴情報を記憶していない場合でも、Ｄｉｒｅｃｔボタンの押下によって所定の下位階層のメニュー項目が選択可能なメニュー画面が表示されるように、履歴情報のデフォルト値が設定されていてもよい。例えば選択履歴情報を記憶していない状態で、第１階層が撮影モード、第２階層がＰ（プログラムオート）、第３階層が測光エリア、第４階層が中央重点の履歴情報のデフォルト値が設定され、指定階層情報が第３階層と設定されている場合にＤｉｒｅｃｔボタンが押下されたときには、測光エリアのメニュー項目を含む第３階層の各メニュー項目が選択可能なメニュー画面を表示させるようにする。
【００６３】
また、上述した実施の形態においては、電子機器としてのデジタルカメラ２を例に説明したが、ＰＤＡ、携帯電話機、スマートフォン、タブレット端末、カーナビ等の他の電子機器にも本発明を適用することができる。
【符号の説明】
【００６４】
２…デジタルカメラ、４…表示部、１２…ＨＯＭＥボタン、１４…ロータリースイッチ、１４ａ…回転部、１４ｂ…ＯＫボタン、２２…ＣＰＵ、２８…メモリ、３０…表示制御部。 
【図１】
2014011521.tif 000003
【図２】
2014011521.tif 000004
【図３】
2014011521.tif 000005
【図４】
2014011521.tif 000006
【図５】
2014011521.tif 000007